【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
電子機器上のワードプロセッシングアプリケーションを用いて文書を編集する方法において、
ワードプロセッシングアプリケーションウィンドウ内にワードを含む文書をディスプレイするステップと、
前記ワードプロセッシングアプリケーションウィンドウにディスプレイされた文書に含まれた複数のワードを選択するためのドラッグ入力を受信するステップと、
前記ワードプロセッシングアプリケーションによって、前記ドラッグ入力によって選択された複数のワードに加え、少なくとも１つの別のワードを検索ワードとして用いてウェブサーチを行うステップと、
前記文書がディスプレイされる状態で、前記ワードプロセッシングアプリケーションウィンドウ内に前記ウェブサーチによる結果として複数のイメージをディスプレイするステップと、
前記ワードプロセッシングアプリケーションウィンドウ内に前記複数のイメージ及び前記文書がディスプレイされた状態で、前記ディスプレイされた複数のイメージのうちいずれか１つのイメージを選択する入力を受信するステップと、
前記文書内の前記選択されたイメージの挿入位置を選択する入力を受信するステップと、
前記ワードプロセッシングアプリケーションウィンドウ内に前記複数のイメージ及び文書がディスプレイされた状態で、前記選択された挿入位置に基づいて前記選択されたイメージを挿入するステップと
を含む、方法。
【請求項２】
前記ウェブサーチを行うステップは、
前記選択された複数のワードに加え、前記少なくとも１つの別のワードを検索ワードとして用いてウェブサーチを行う前記ワードプロセッシングアプリケーション内のウェブサーチプログラムを実行することを含むことを特徴とする請求項１に記載の方法。
【請求項３】
複数のワードに対する選択入力が受信されると、ユーザからウェブサーチを行うためのコマンドを受信するためのメニューをディスプレイするステップを更に含むことを特徴とする請求項１に記載の方法。
【請求項４】
前記選択された挿入位置に基づいて前記選択されたイメージを挿入するステップは、
ユーザによってカーソルの置かれた位置に前記選択されたイメージを挿入するか、前記選択された複数のワードの位置する行の次行に前記選択されたイメージを挿入することを含むことを特徴とする請求項１に記載の方法。
【請求項５】
前記複数のイメージをディスプレイするステップは、
前記ウェブサーチによる結果として、複数のイメージを前記ディスプレイされた文書に関連する検索結果ウィンドウ内にディスプレイすることを含むことを特徴とする請求項１に記載の方法。
【請求項６】
電子機器において、
指示を保存するメモリと、
前記保存された指示を実行するプロセッサと
を含み、
前記保存された指示は、
ワードプロセッシングアプリケーションウィンドウ内にワードを含む文書を提供するように制御する指示と、
ワードプロセッシングアプリケーション内に提供される文書内に含まれた複数のワードを選択するためのドラッグ入力を受信するように制御する指示と、
前記ドラッグ入力によって選択された複数のワードに加え、少なくとも１つの別のワードを検索ワードとして用いてウェブサーチを行うように制御する指示と、
前記文書がディスプレイされる状態で、前記ウェブサーチによる結果として複数のイメージをディスプレイするように制御する指示と、
前記ワードプロセッシングアプリケーションウィンドウ内に前記複数のイメージ及び前記文書が提供される状態で、前記提供される複数のイメージのうちいずれか１つのイメージを選択する入力を受信するように制御する指示と、
前記文書内の前記選択されたイメージの挿入位置を選択する入力を受信するように制御する指示と、
前記ワードプロセッシングアプリケーションウィンドウ内に前記複数のイメージ及び文書がディスプレイされた状態で、前記選択された挿入位置に基づいて前記選択されたイメージを挿入するように制御する指示と
を含む、電子機器。
【請求項７】
前記プロセッサは、
前記選択された複数のワードに加え、前記少なくとも１つの別のワードを検索ワードとして用いてウェブサーチを行う前記ワードプロセッシングアプリケーション内のウェブサーチプログラムを実行するように制御する指示を更に実行することを特徴とする請求項６に記載の電子機器。
【請求項８】
前記プロセッサは、
複数のワードが選択されると、ユーザからウェブサーチを行うためのコマンドを受信するためのメニューを提供するように制御する指示を更に実行することを特徴とする請求項６に記載の電子機器。
【請求項９】
前記プロセッサは、
ユーザによってカーソルの置かれた位置に前記選択されたイメージを挿入するか、前記選択された複数のワードの位置する行の次行に前記選択されたイメージを挿入するように制御する指示を更に実行することを特徴とする請求項６に記載の電子機器。
【請求項１０】
前記プロセッサは、
前記ウェブサーチによる結果として、複数のイメージを前記ディスプレイされた文書に関連する検索結果ウィンドウ内に提供するように制御する指示を更に実行することを特徴とする請求項６に記載の電子機器。
【請求項１１】
電子機器のプロセッサによって実行可能な指示を保存するコンピュータ読取可能な非一時的記録媒体において、
ワードプロセッシングアプリケーション内にワードを含む文書を提供するようにする指示と、
ワードプロセッシングアプリケーション内に提供される文書内に含まれた複数のワードを選択するためのドラッグ入力を受信するようにする指示と、
前記ドラッグ入力によって選択された複数のワードに加え、少なくとも１つの別のワードを検索ワードとして用いてウェブサーチを行うようにする指示と、
前記文書がディスプレイされる状態で、前記ウェブサーチによる結果として複数のイメージをディスプレイするようにする指示と、
ワードプロセッシングアプリケーションウィンドウ内に前記複数のイメージ及び前記文書が提供される状態で、前記提供される複数のイメージのうちいずれか１つのイメージを選択する入力を受信するようにする指示と、
前記文書内の前記選択されたイメージの挿入位置を選択する入力を受信するようにする指示と、
前記ワードプロセッシングアプリケーションウィンドウ内に前記複数のイメージ及び文書がディスプレイされた状態で、前記選択された挿入位置に基づいて前記選択されたイメージを挿入するようにする指示と
を保存する、コンピュータ読取可能な非一時的記録媒体。
【請求項１２】
前記プロセッサが前記選択された複数のワードに加え、前記少なくとも１つの別のワードを検索ワードとして用いてウェブサーチを行う前記ワードプロセッシングアプリケーション内のウェブサーチプログラムを実行するように制御するようにする指示を更に保存することを特徴とする請求項１１に記載のコンピュータ読取可能な非一時的記録媒体。
【請求項１３】
前記プロセッサが前記ウェブサーチによる結果として、複数のイメージを前記ディスプレイされた文書に関連する検索結果ウィンドウ内に提供するように制御するようにする指示を更に保存することを特徴とする請求項１１に記載のコンピュータ読取可能な非一時的記録媒体。
【請求項１４】
複数のワードが選択されると、ユーザからウェブサーチを行うためのコマンドを受信するためのメニューを提供するように制御するようにする指示を更に保存することを特徴とする請求項１１に記載のコンピュータ読取可能な非一時的記録媒体。
【請求項１５】
ユーザによってカーソルの置かれた位置に前記選択されたイメージを挿入するか、前記選択された複数のワードの位置する行の次行に前記選択されたイメージを挿入するように制御するようにする指示を更に保存することを特徴とする請求項１１に記載のコンピュータ読取可能な非一時的記録媒体。